【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
太陽からの光を導入するための採光手段と、前記採光手段からの光をその内面で反射させながら所定方向へ導く筒状の導光手段と、前記導光手段により導かれた光を屋内に照射する照射手段と、を備えた採光装置において、
前記採光手段はドーム部材及び取付部材を備え、前記取付部材は、基台部と、前記基台部から延びる筒状の支持部とから構成され、前記導光手段の一端部には、前記支持部の開口部に装着される固定部材が設けられ、その他端部には前記照射手段が装着され、前記ドーム部材には前記支持部の開口部に支持される段差部が設けられ、前記ドーム部材の前記段差部は前記固定部材に載置固定されることを特徴とする採光装置。
【請求項２】
前記導光手段に関連して照明手段が設けられ、前記照明手段は、前記導光手段の外側部に取り付けられ、内面に反射面を有する支持部材と、前記支持部材の内側部に設けられた光源と、を備え、前記支持部材は、前記採光手段側から前記照射手段側に横断面積が拡大されることを特徴とする請求項１に記載の採光装置。
【請求項３】
前記固定部材には空気流入用凹部が設けられており、前記採光手段は、前記空気流入用凹部を通して外部と連通されていることを特徴とする請求項１又は２に記載の採光装置。
【請求項４】
屋根に設けられて太陽からの光を導入するための採光手段と、前記採光手段からの光をその内面で反射させながら所定方向へ導く筒状の導光手段と、前記導光手段により導かれた光を屋内に照射する照射手段と、を備えた採光装置において、
前記採光手段はドーム部材並びに第１及び第２取付部材を備え、前記第１取付部材は、前記屋根に取り付けられる第１基台部と、前記第１基台部から上方に延びる第１支持部とから構成され、前記第２取付部材は、前記第１取付部材の前記第１支持部の開口部に取り付けられる第２基台部と、前記第２基台部から上方に延びて前記ドーム部材を支持するための第２支持部とから構成され、前記第１支持部の上流側における前記第１基台部には平坦部が形成され、また前記第１基台部の一端部は、前記第１基台部に隣接してその上側に敷設された屋根材の形状に対応した形状を有し、前記第１基台部の両側端部は、前記第１基台部に隣接してその両側に敷設された屋根材の形状に対応した形状を有することを特徴とする採光装置。
【請求項５】
前記第１支持部の上流側は、円弧状又は三角状に構成されていることを特徴とする請求項４に記載の採光装置。
【請求項６】
前記第１支持部は菱形状に構成され、前記第１支持部の上流側角部と前記第１基台部との接続部は、凹状に湾曲されていることを特徴とする請求項５に記載の採光装置。
【請求項７】
屋根に貫通孔を穿設した際に生じる屑を受けるための受け部材を用いて、屋根に貫通孔を穿設する屋根の貫通孔穿設方法であって、
前記屋根の所定部位に貫通孔を穿設し、前記屋根の前記貫通孔を穿設した個所に支持アーム部材を設置し、前記受け部材により前記貫通孔を下方より覆うようにして、前記貫通孔を通して前記受け部材を前記支持アーム部材に取り付けて支持させ、かかる状態にて前記貫通孔を更に拡径させることを特徴とする屋根の貫通孔穿設方法。
【請求項８】
前記受け部材は傘状受け部材から構成され、前記傘状受け部材は、シャフト部と、前記シャフト部に開閉自在に取り付けられた複数の傘骨部と、前記複数の傘骨部に張られたシート部と、を備え、前記複数の傘骨部は、前記シャフト部から径方向外方に放射状に延びる開状態と、前記シャフト部に沿って折り畳まれる閉状態とに保持され、
前記屋根の所定部位に貫通孔を穿設し、前記屋根の前記貫通孔を穿設した個所に前記支持アーム部材を設置し、その後、前記複数の傘骨部を前記閉状態に保持して前記傘状受け部材を前記貫通孔を通して屋内に挿入し、前記複数の傘骨部を前記閉状態から前記開状態に保持させて前記シート部により前記貫通孔を下方より覆うようにして、前記貫通孔を通して前記傘状受け部材を前記支持アーム部材に取り付けて支持させ、かかる状態にて前記貫通孔を更に拡径させ、更にその後、前記複数の傘骨部を前記開状態から前記閉状態に保持させて前記傘状受け部材を前記貫通孔を通して屋外に取り出すことを特徴とする請求項７に記載の屋根の貫通孔穿設方法。
【請求項９】
前記屋根に貫通孔を穿設した際に生じる屑を受けるためのロッド状受け部材を更に用い、前記ロッド状受け部材は、ロッド部と、前記ロッド部の先端部に設けられた受け部と、を備え、
前記屋根の所定部位に貫通孔を穿設する際には、前記ロッド状受け部材の前記受け部により前記屋根の前記所定部位を下方より覆うことを特徴とする請求項８に記載の屋根の貫通孔穿設方法。
【手続補正２】
【補正対象書類名】明細書
【補正対象項目名】０００８
【補正方法】変更
【補正の内容】
【０００８】
本発明の請求項１に記載の採光装置では、太陽からの光を導入するための採光手段と、前記採光手段からの光をその内面で反射させながら所定方向へ導く筒状の導光手段と、前記導光手段により導かれた光を屋内に照射する照射手段と、を備えた採光装置において、
前記採光手段はドーム部材及び取付部材を備え、前記取付部材は、基台部と、前記基台部から延びる筒状の支持部とから構成され、前記導光手段の一端部には、前記支持部の開口部に装着される固定部材が設けられ、その他端部には前記照射手段が装着され、前記ドーム部材には前記支持部の開口部に支持される段差部が設けられ、前記ドーム部材の前記段差部は前記固定部材に載置固定されることを特徴とする。
【手続補正３】
【補正対象書類名】明細書
【補正対象項目名】０００９
【補正方法】変更
【補正の内容】
【０００９】
また、本発明の請求項２に記載の採光装置では、前記導光手段に関連して照明手段が設けられ、前記照明手段は、前記導光手段の外側部に取り付けられ、内面に反射面を有する支持部材と、前記支持部材の内側部に設けられた光源と、を備え、前記支持部材は、前記採光手段側から前記照射手段側に横断面積が拡大されることを特徴とする。
さらに、本発明の請求項３に記載の採光装置では、前記固定部材には空気流入用凹部が設けられており、前記採光手段は、前記空気流入用凹部を通して外部と連通されていることを特徴とする。
【手続補正４】
【補正対象書類名】明細書
【補正対象項目名】００１０
【補正方法】変更
【補正の内容】
【００１０】
また、本発明の請求項４に記載の採光装置では、屋根に設けられて太陽からの光を導入するための採光手段と、前記採光手段からの光をその内面で反射させながら所定方向へ導く筒状の導光手段と、前記導光手段により導かれた光を屋内に照射する照射手段と、を備えた採光装置において、
前記採光手段はドーム部材並びに第１及び第２取付部材を備え、前記第１取付部材は、前記屋根に取り付けられる第１基台部と、前記第１基台部から上方に延びる第１支持部とから構成され、前記第２取付部材は、前記第１取付部材の前記第１支持部の開口部に取り付けられる第２基台部と、前記第２基台部から上方に延びて前記ドーム部材を支持するための第２支持部とから構成され、前記第１支持部の上流側における前記第１基台部には平坦部が形成され、また前記第１基台部の一端部は、前記第１基台部に隣接してその上側に敷設された屋根材の形状に対応した形状を有し、前記第１基台部の両側端部は、前記第１基台部に隣接してその両側に敷設された屋根材の形状に対応した形状を有することを特徴とする。
【手続補正５】
【補正対象書類名】明細書
【補正対象項目名】００１１
【補正方法】変更
【補正の内容】
【００１１】
さらに、本発明の請求項５に記載の採光装置では、前記第１支持部の上流側は、円弧状又は三角状に構成されていることを特徴とする。
【手続補正６】
【補正対象書類名】明細書
【補正対象項目名】００１２
【補正方法】変更
【補正の内容】
【００１２】
また、本発明の請求項６に記載の採光装置では、前記第１支持部は菱形状に構成され、前記第１支持部の上流側角部と前記第１基台部との接続部は、凹状に湾曲されていることを特徴とする。
【手続補正７】
【補正対象書類名】明細書
【補正対象項目名】００１４
【補正方法】変更
【補正の内容】
【００１４】
本発明の請求項１に記載の採光装置によれば、導光手段の一端部には、支持部の開口部に装着される固定部材が設けられているので、導光手段を支持部の開口部を通して挿入することにより、固定部材が支持部の開口部に装着される。従って、屋外側より導光手段の一端部を支持部の開口部に容易に装着することができ、作業性を高めることができる。また、ドーム部材には、支持部の開口部に支持される段差部が設けられているので、ドーム部材を支持部の開口部に装着することにより段差部が固定部材に載置固定され、それ故に、導光手段の一端部を支持部に確実に固定することができる。
【手続補正８】
【補正対象書類名】明細書
【補正対象項目名】００１５
【補正方法】変更
【補正の内容】
【００１５】
また、本発明の請求項２に記載の採光装置によれば、導光手段に関連して照明手段が設けられているので、太陽からの光を充分に得ることができない雨天時や夜間などにおいても、光源からの光によって屋内を照明することができる。また、支持部材は、採光手段側から照射手段側に横断面積が拡大されるので、光源からの光を支持部材の内面の反射面に効率良く反射させることができ、照明効率を高めることができる。
【手続補正９】
【補正対象書類名】明細書
【補正対象項目名】００１６
【補正方法】変更
【補正の内容】
【００１６】
さらに、本発明の請求項３に記載の採光装置によれば、固定部材には空気流入用凹部が設けられており、採光手段は空気流入用凹部を通して外部と連通されているので、外気が空気流入用凹部を通して採光手段の内部に流入することによって、採光手段の内部温度と外気温との温度差が小さくなり、これにより採光手段の内部における結露の発生を防止することができる。
【手続補正１０】
【補正対象書類名】明細書
【補正対象項目名】００１７
【補正方法】変更
【補正の内容】
【００１７】
また、本発明の請求項４に記載の採光装置によれば、第１取付部材の第１基台部は屋根に取り付けられ、第２取付部材の第２基台部は、第１取付部材の第１支持部の開口部に取り付けられる。第２取付部材の第２支持部には、ドーム部材が支持される。第１基台部の一端部は、第１基台部に隣接してその上側に敷設された屋根材の形状に対応した形状を有し、第１基台部の両側端部は、第１基台部に隣接してその両側に敷設された屋根材の形状に対応した形状を有するので、第１取付部材が屋根に敷設される屋根材の一部を構成するようになり、それ故に、屋根材の敷設作業と第１取付部材の設置作業とを同時に行うことができ、採光装置の設置を容易に行うことができる。また、第１支持部の上流側における第１基台部には平坦部が形成されているので、降雨時に第１基台部の上流側より流れる雨水がこの平坦部に流れ込むことにより、雨水の流れが拡散されてその勢いが弱められ、それ故に、雨水が第１基台部の下流側へ流れ易くなり、屋根上における水捌けを良くすることができる。また、採光装置が設置される地域の降雨量に応じて、第１支持部の高さを設定することにより、平坦部に流れ込んだ雨水に第１支持部の大部分が浸水されるのを防止でき、降雨量が多い（少ない）場合には第１支持部の高さを高く（低く）設定すればよい。
【手続補正１１】
【補正対象書類名】明細書
【補正対象項目名】００１８
【補正方法】変更
【補正の内容】
【００１８】
さらに、本発明の請求項５に記載の採光装置によれば、第１支持部の上流側は円弧状又は三角状に構成されているので、第１基台部の上流側より平坦部に流れ込んだ雨水は、第１支持部の上流側に沿って左右に分流されるようになり、雨水を第１基台部の下流側へ効率良く流すことができる。
【手続補正１２】
【補正対象書類名】明細書
【補正対象項目名】００１９
【補正方法】変更
【補正の内容】
【００１９】
また、本発明の請求項６に記載の採光装置によれば、第１支持部は菱形状に構成され、第１支持部の上流側角部と第１基台部との接続部は凹状に湾曲されているので、第１基台部の上流側より平坦部に流れ込んだ雨水が第１支持部の上流側に沿って分流される際の抵抗を小さくすることができる。